(57)【要約】【課題】簡単な構造で支持部材に対して荷重支持部材を着脱でき、高さ調整を容易に行うことができ、しかも荷重支持部材に大きな負荷をかけずに支持部材に対する荷重支持部材の支持力を確保できる。【解決手段】ランバーサポート支持部材１１に対して上下方向に移動可能に支持される荷重支持部材１６を備え、荷重支持部材１６は、幅方向に離間する一対の縦板状体１６１と、一対の縦板状体１６１同士を連結する上連結材１６２、下連結材１６３と、上連結材１６２、下連結材１６３に対して上下方向にずれた位置で一対の縦板状体１６１同士を連結する拘束バンド１６４とを備え、上連結材１６２、下連結材１６３と拘束バンド１６４とは、前後方向に相対的に近接するように弾性変形可能に設けられ、縦板状体１６１は、上連結材１６２、下連結材１６３の後面と拘束バンド１６４の前面とによって弾性的に押圧された状態で挟持された背凭れ荷重支持構造を提供する。【選択図】図８
2020048990.tif 000002
【特許請求の範囲】
【請求項１】
椅子の背凭れに設けられ、着座者から受ける前後方向の荷重を支持する背凭れ荷重支持構造であって、
背凭れを備えた椅子本体に支持され、上下方向に延在する支持部材と、
該支持部材に対して上下方向に移動可能に支持される荷重支持部材と、を備え、
前記荷重支持部材は、
前記椅子の幅方向に離間する一対の板状体と、
該一対の板状体同士を連結する第一連結部と、
前記第一連結部に対して上下方向にずれた位置で前記一対の板状体同士を連結する第二連結部と、を備え、
前記第一連結部及び前記第二連結部のうち少なくとも一方は、相対的に前後方向に近接するように弾性変形可能に設けられ、
前記支持部材は、前記第一連結部の後面と前記第二連結部の前面とによって弾性的に押圧された状態で挟持されていることを特徴とする背凭れ荷重支持構造。
【請求項２】
前記荷重支持部材は、上方から見て前記幅方向の中央部で後方に突となるように湾曲して形成され、湾曲した状態において前記第一連結部と前記第二連結部とが前後方向に相対的に近接するように弾性変形していることを特徴とする請求項１に記載の背凭れ荷重支持構造。
【請求項３】
前記第一連結部と前記第二連結部とは、それぞれ弾性変形していない状態において同一平面内に位置していることを特徴とする請求項１又は２に記載の背凭れ荷重支持構造。
【請求項４】
請求項１乃至３のいずれか１項に記載の背凭れ荷重支持構造を備えた椅子であって、
前記椅子本体は、上方から見て前記幅方向の中央で後方に凸となるように湾曲または屈曲した背受面を備える背凭れを備え、
前記荷重支持部材は、前記背受面の手前側で前記背受面の湾曲または屈曲形状に沿うように弾性変形していることを特徴とする椅子。
【発明の詳細な説明】
【技術分野】
【０００１】
本発明は、背凭れ荷重支持構造、および椅子に関する。
【背景技術】
【０００２】
従来、椅子に設けられる背凭れとして、例えば特許文献１、２に示されるような着座者から受ける前後方向の荷重を支持する荷重支持構造が知られている。このような荷重支持構造では、上下方向に延在する支持部材と、支持部材に対して上下方向に移動可能に支持される荷重支持部材と、を備えたものがある。
【０００３】
特許文献１には、荷重支持部材の一態様としての腰当てが、着座者の背中に対向する面と反対側に配置されるベルトが椅子の背凭れに回り込むことによって保持された構成について記載されている。このような構成の椅子では、荷重支持部材を簡単に取り付けることが可能となっている。一方で、椅子に対する保持力がベルトの締付力に依存してしまう。すなわち、例えば、ベルトを弾性的に伸縮するゴム等の素材を伸ばすことで生じる初期状態への復帰力に依拠することから、安定的な位置を保持することが困難な構造となっている。
【０００４】
このような特許文献１の課題を解決する構成として特許文献２が採用されることが考えられている。特許文献２には、荷重支持部材としてのランバーサポートを、背凭れの一部であるサブフレームに鉤状ガイド部を外嵌させるとともに、硬質ゴム製等のスペーサを介在させた後端部を、ランバーサポートの他部位にねじで締め付ける構成のものが記載されている。このような構成は、弾性を有するスペーサを介することでねじによる締付力を増大させることが可能となり、鉤状ガイド部がサブフレームに圧接する方向の弾性変形量を大きく確保できる。これにより、ランバーサポートと背凭れとをより堅牢に支持できる構造となっている。
【先行技術文献】
【特許文献】
【０００５】
【特許文献１】実開昭５５−０４５８８６号公報
【特許文献２】特開２００１−２９９５０１号公報
【発明の概要】
【発明が解決しようとする課題】
【０００６】
しかしながら、従来の荷重支持構造を備えた椅子では、以下のような問題があった。
すなわち、特許文献２の場合には、ねじの締付力を利用した構造となることから、ねじによる螺合作業が発生することにより、組立にかかる手間が増え、支持部材に対して荷重支持部材の着脱にかかる作業効率が低下してしまう問題があった。そのため、例えば支持部材に対して荷重支持部材を上下方向に移動させることに手間を要すことから、簡単に高さ調整ができる構造が求められていた。
【０００７】
また、特許文献２の場合には、個々にねじによる締結力を受ける部位が、椅子の幅方向に離間するので、例えば、幅方向に離間する一方のサブフレームに対し、他方よりも強い圧接力が作用していた場合に、ランバーサポート自体が一体の部品であることから、ランバーサポートの部位に対し上方へ持ち上げようとする力に起因するモーメントが過度に作用し、破損が発生するという問題があり、その点で改善の余地があった。
【０００８】
本発明は、上述する問題点に鑑みてなされたもので、簡単な構造で支持部材に対して荷重支持部材を着脱でき、高さ調整を容易に行うことができ、しかも荷重支持部材に大きな負荷をかけずに支持部材に対する荷重支持部材の支持力を確保できる背凭れ荷重支持構造、および椅子を提供することを目的とする。
【課題を解決するための手段】
【０００９】
上記目的を達成するため、本発明に係る背凭れ荷重支持構造は、椅子に設けられ、着座者から受ける前後方向の荷重を支持する背凭れ荷重支持構造であって、背凭れを備えた椅子本体に支持され、上下方向に延在する支持部材と、該支持部材に対して上下方向に移動可能に支持される荷重支持部材と、を備え、前記荷重支持部材は、前記椅子の幅方向に離間する一対の板状体と、該一対の板状体同士を連結する第一連結部と、前記第一連結部に対して上下方向にずれた位置で前記一対の板状体同士を連結する第二連結部と、を備え、前記第一連結部及び前記第二連結部のうち少なくとも一方は、相対的に前後方向に近接するように弾性変形可能に設けられ、前記支持部材は、前記第一連結部の後面と前記第二連結部の前面とによって弾性的に押圧された状態で挟持されていることを特徴としている。
【００１０】
本発明では、支持部材が荷重支持部材の第一連結部と第二連結部とによって弾性的に押圧された状態で挟持されるという簡単な支持構造となる。しかも、第一連結部と第二連結部とが上下方向にずれた位置に配置され、支持部材の板状体に対して高さ方向の異なる支持点で第一連結部が前方から押さえ付け、第二連結部が後方から押さえ付ける構造となる。そのため、荷重支持部材は、高さ方向で同じ支持点で前後から押さえ付ける場合に比べて荷重支持部材における支持点回りのモーメントを小さく抑えることができ、安定した姿勢で支持部材に保持される。
また、本発明では、第一連結部及び第二連結部が前後方向に相対的に近接するように弾性変形するときに、第一連結部及び第二連結部のうち少なくとも一方に幅方向の引張力が作用するため、荷重支持部材は支持部材に対して弾性的な押圧による確実な支持力を得ることができる。
【００１１】
また、本発明では、荷重支持部材は支持部材に対して弾性的な押圧により支持させる構造であり、例えばねじやボルト等の固定手段を用いた支持構造ではないことから、支持部材に対して荷重支持部材を容易に着脱することができる。そのため、支持部材に対する荷重支持部材の上下方向の支持位置を変更する高さ調整を容易に行うことができる。
そして、荷重支持部材は支持部材に対して前記固定手段を用いない構造となるので、荷重支持部材に大きな負荷をかけずに支持部材に対する荷重支持部材の支持力を確保することができる。
【００１２】
また、本発明に係る背凭れ荷重支持構造は、前記荷重支持部材は、上方から見て前記幅方向の中央部で後方に突となるように湾曲して形成され、湾曲した状態において前記第一連結部と前記第二連結部とが前後方向に相対的に近接するように弾性変形していることが好ましい。
【００１３】
この場合には、荷重支持部材を湾曲させる前に第一連結部と第二連結部との間に支持部材の板状体を差し込み、その後、荷重支持部材を幅方向の中央部で後方に突となるように湾曲させることで、第一連結部及び第二連結部のうち少なくとも一方が幅方向に引張力が作用する。そのため、第一連結部及び第二連結部が前後方向に相対的に近接するように弾性変形するときの弾性力をより大きく作用させることができ、より確実な支持力を得ることができる。
【００１４】
また、本発明に係る背凭れ荷重支持構造は、前記第一連結部と前記第二連結部とは、それぞれ弾性変形していない状態において同一平面内に位置していることが好ましい。
【００１５】
このような構成にすることにより、第一連結部及び第二連結部との間に差し込まれて挟持された支持部材の板状体に対して、第一連結部及び第二連結部の少なくとも一方をより大きく弾性変形させることが必要となる。したがって、連結部の弾性変形状態からの復帰力に起因する支持部材への弾性的な押圧力を、より大きく確保することができ、荷重支持部材を堅牢に支持できる。
【００１６】
また、本発明に係る椅子は、上述した背凭れ荷重支持構造を備えた椅子であって、前記椅子本体は、上方から見て前記幅方向の中央で後方に凸となるように湾曲または屈曲した背受面を備える背凭れを備え、前記荷重支持部材は、前記背受面の手前側で前記背受面の湾曲または屈曲形状に沿うように弾性変形していることを特徴としている。
【００１７】
本発明に係る椅子では、荷重支持部材が椅子本体における背凭れの背受面の湾曲または屈曲した凸形状に沿って変形するため、荷重支持部材に対して弾性変形状態となるように外的な強制力を付与することができる。そのため、第一連結部及び第二連結部のうち少なくとも一方の弾性変形状態からの復帰力に起因する支持部材への弾性的な押圧力をより大きく確保することができる。
【発明の効果】
【００１８】
本発明の背凭れ荷重支持構造、および椅子によれば、簡単な構造で支持部材に対して荷重支持部材を着脱でき、高さ調整を容易に行うことができ、しかも荷重支持部材に大きな負荷をかけずに支持部材に対する荷重支持部材の支持力を確保できる。
【図面の簡単な説明】
【００１９】
【図１】本発明の実施形態による椅子の斜め前方から見た斜視図である。
【図２】図１に示す椅子を斜め後方から見た斜視図であって、背凭れの面材を省略した図である。
【図３】図１に示す椅子の側面図である。
【図４】椅子を斜め前方から見た分解斜視図であって、座を省略した図である。
【図５】ランバーサポートの支持部を椅子の幅方向の中心で切断した縦断面図であって、ベース部、背凭れ支持部材、及びランバーサポートの支持構造を示す図である。
【図６】背凭れを斜め後方から見た分解斜視図である。
【図７】背凭れを備えた背凭れ支持部材とランバーサポートを斜め前方から見た分解斜視図である。
【図８】ランバーサポートを斜め後方から見た分解斜視図である。
【図９】ランバーサポートを斜め後方から見た斜視図であって、ランバーパッドを省略した図である。
【図１０】ランバーサポート支持部材に荷重支持部材を支持させる前の状態を後方から見た背面図である。
【図１１】図１０において、ランバーサポート支持部材に荷重支持部材を支持させた背面図である。
【図１２】（ａ）は図１０に示すＡ−Ａ線断面図、（ｂ）は図１１に示すＢ−Ｂ線断面図である。
【図１３】変形例によるランバーサポート支持部材の一部を後方から見た図である。
【図１４】図１３に示すランバーサポート支持部材に荷重支持部材を支持させた図であって、（ａ）は上２つの係止凹部に拘束バンドを係止させた状態の図、（ｂ）は下２つの係止凹部に拘束バンドを係止させた状態の図である。
【発明を実施するための形態】
【００２０】
以下、本発明の実施形態による背凭れ荷重支持構造、および椅子について、図面に基づいて説明する。
【００２１】
図１〜図４に示す本実施形態による椅子１は、例えば着座者Ｍ（図３参照）が座って事務作業を行う事務用等として用いられる。
なお、以下の説明においては、椅子１に正規姿勢で着座した人（図３に示す着座者Ｍ）の前方を「前」、それと反対側を「後」と呼ぶものとする。また、「上」，「下」と「左」，「右」については、椅子１に正規姿勢で着座者Ｍの上方を「上」、それと逆側を「下」と呼び、椅子に正規姿勢で左右方向を幅方向といい、着座者Ｍの左側方を「左」、それと反対側を「右」と呼ぶものとする。また、図１〜図３において、図中矢印ＦＲは前方を指し、矢印ＵＰは上方を、矢印ＬＨは左側方をそれぞれ指すものとする。また、各実施形態においては、共通部分に同一符号を付して重複する説明を省略するものとする。
【００２２】
椅子１は、床Ｆ上に載置される支持構造体２と、支持構造体２の上部に支持され、着座者Ｍの臀部を支持する座３と、支持構造体２から後方に延びるとともに上方に延設された背凭れ支持部材４と、背凭れ支持部材４に支持され、背受面５ａに着座者Ｍの荷重を受けることにより傾動可能に設けられた背凭れ５と、背凭れ支持部材４に支持され、背受面５ａよりも前方に配置されたランバーサポート１０と、を備えている。
【００２３】
支持構造体２は、床Ｆ上に載置される脚部２１と、脚部２１の上端に設置されるボックス状の支基２２と、を備えている。
脚部２１は、キャスタ付きの多岐脚２１１と、多岐脚２１１の中央部より起立し昇降機構であるガススプリングを内蔵する脚柱２１２と、を備え、脚柱２１２の上端部に支基２２が脚柱２１２を中心として回転可能に取り付けられている。
【００２４】
支基２２には、脚柱２１２の昇降調整機構と背凭れ５の傾動調整機構が内蔵されている。支基２２には、背凭れ支持部材４及びランバーサポート１０を固定するための金属製のベース部２３が後方に向けて略水平に張り出した状態で設けられている。
【００２５】
ベース部２３は、図４に示すように、基端側の前部２３ａが支基２２の後部に固定された支持受け板２３１と、支持受け板２３１の幅方向の両端それぞれから上方に突出するガイド板２３２と、を有している（図５参照）。
ベース部２３は、背凭れ支持部材４の後述する第一部材４１を支持受け板２３１の上面２３１ａで受けるように構成されている。つまり、ベース部２３は、背凭れ支持部材４と上下に重ね合わせた状態で３本の固定ボルト２４とナット２５により締結固定される。ベース部２３の前部２３ａは、支基２２内に設けられる傾動調整機構に連結されている。
【００２６】
支持受け板２３１には、厚み方向に貫通する３つの第一ボルト孔２３３が形成されている。これら第一ボルト孔２３３は、支持受け板２３１の前側において幅方向に間隔をあけて２つ配置され、後側において前側の第一ボルト孔２３３の幅方向中央の位置に１つ配置されている。各第一ボルト孔２３３には、背凭れ支持部材４及びランバーサポート１０を固定するための固定ボルト２４が挿通される。
【００２７】
座３は、図１及び図２に示すように、座３の外殻を形成する座フレーム３１と、座フレーム３１に張設された座面材３２と、を有している。
【００２８】
背凭れ支持部材４は、支基２２から後方に張り出したベース部２３上に連結される強度部材をなしている。背凭れ支持部材４は、座３の後端部３ｂから後方に離間している。
背凭れ支持部材４は、図４及び図５に示すように、支持構造体２の支基２２から後方に延出するように配置されるとともに支基２２のベース部２３に連結される第一部材４１と、第一部材４１に固定される固定部から上方に延出され、背凭れ５を支持する第二部材４２と、からなる。なお、本実施形態では、第一部材４１と第二部材４２とは、例えばアルミ等の金属または所定の強度を有する樹脂等により一体に形成されている。
【００２９】
第一部材４１は、上支持壁４１１と、一対の側支持壁４１２、４１２と、を有し、前方から見て下方側に開口する略コ字状に形成されている。略コ字状に形成された第一部材４１の開口側をベース部２３の一対のガイド板２３２、２３２に外嵌させた状態で配置される。
【００３０】
上支持壁４１１は、前側から後側に向かうに従って漸次上方に向かうように滑らかに湾曲している。上支持壁４１１の前部下面４１１ａは、ベース部２３の支持受け板２３１側を向くように配置されている。上支持壁４１１の前部下面４１１ａには、前後方向に延びる複数の板状のガイドリブ４１３が幅方向に間隔をあけて配置されている。ガイドリブ４１３の下端４１３ａは、ベース部２３の支持受け板２３１の上面２３１ａに当接されている。これらガイドリブ４１３の突出高さは、ベース部２３のガイド板２３２における支持受け板２３１の上面２３１ａからの高さよりも大きく設定されている。
ガイドリブ４１３同士の間隔は、固定ボルト２４を挿入可能な寸法に設定されている。
【００３１】
上支持壁４１１には、厚み方向に貫通する３つの第二ボルト孔４１４が形成されている。これら第二ボルト孔４１４は、支基２２のベース部２３に第一部材４１を配置させた状態でベース部２３の各第一ボルト孔２３３に対して上下方向に同軸となる位置に配置されている。各第二ボルト孔４１４には、支基２２（ベース部２３）及びランバーサポート１０を固定するための固定ボルト２４が挿通される。
【００３２】
一対の側支持壁４１２、４１２は、ベース部２３のガイド板２３２の外面に沿うように上支持壁４１１の幅方向両端から下方に延びている。一対の側支持壁４１２、４１２同士の離間は、ベース部２３の一対のガイド板２３２、２３２の外面同士の間隔に一致している。一対の側支持壁４１２、４１２は、一対のガイド板２３２、２３２の幅方向外側の外面に沿って上方から案内されて係合することで幅方向の位置が決められる。
【００３３】
背凭れ５は、図３に示すように、側面視略Ｌ字状の背凭れ支持部材４の後上部に取り付けられ、座３に着座した着座者Ｍの背部を背受面５ａで直接支持する部分である。背凭れ５は、図６に示すように、背凭れ５の外周形状を画定する背枠部材５０と、背枠部材５０の内周空間に架設される面材５４と、を有している。
【００３４】
背枠部材５０は、図６に示すように、背凭れ５の幅方向に離間して配置された一対の縦枠材５１、５１と、一対の縦枠材５１、５１の上端どうしを連結する上枠材５２と、一対の縦枠材５１、５１の下端どうしを連結する下枠材５３と、を有している（図２参照）。一対の縦枠材５１、５１、上枠材５２、および下枠材５３は、例えば樹脂等で一体として環状に形成され、面材５４から作用する力に応じて弾性変形可能に構成されている。
【００３５】
一対の縦枠材５１、５１、上枠材５２および下枠材５３それぞれの外周縁部には、背凭れ５の内方に向かって凹む溝部５０１が周方向に連続して形成されている。溝部５０１は、面材５４の外周端部が巻き込まれた枠状の巻込枠５５を係止するように構成されている。巻込枠５５は、背枠部材５０と略同形状となる枠状に形成されている。
【００３６】
面材５４は、外周縁部が背凭れ５の前側に配置され、巻込枠５５に対して外側に回り込むようにして所定の張力が付与された状態で巻き込まれた状態で溝部５０１に係合している。面材５４は、図３に示すように、背凭れ５に寄りかかった着座者Ｍの荷重を受けるように構成されている。  
【００３７】
一対の縦枠材５１、５１は、それぞれ上下方向に沿って延びている。詳細には、図６に示すように、一対の縦枠材５１、５１は、下方に向かうに従って漸次幅方向の外側に向かうとともに前方に向かうように湾曲している。上枠材５２は、幅方向に延びてほほ直線状に形成され、幅方向の両端部が一対の縦枠材５１、５１の上端部に連結されている。
【００３８】
下枠材５３は、幅方向に延びていて幅方向の両端部が一対の縦枠材５１、５１の下端部と連結されている。下枠材５３は、幅方向の中央部が両端部よりも後側に突出するように全体にわたって湾曲している。下枠材５３は、背凭れ支持部材４の上端部に一体的に固定されている。本実施形態では、下枠材５３の後面には、下枠材５３と同様に湾曲する板状の下枠カバー５６が取り付けられている。
【００３９】
ランバーサポート１０は、図３に示すように、椅子１に着座した着座者Ｍの腰椎部Ｍａに当たる位置に配置され、前側から後側に向かう着座者Ｍの荷重を受けるように構成されている。ランバーサポート１０における背凭れ支持部材４との支持部Ｒ（図１、図５参照）は、座３の下方に位置している。
【００４０】
ランバーサポート１０は、図７〜図９に示すように、背凭れ支持部材４に支持されるランバーサポート支持部材１１（支持部材）と、ランバーサポート支持部材１１に支持されるランバーサポート本体１２と、を備えている。
【００４１】
ランバーサポート支持部材１１は、図５に示すように、背凭れ支持部材４の第一部材４１を介して支基２２のベース部２３に固定されて支持される被支持部１３と、被支持部１３から上方に延設される本体支持部１４と、を有し、被支持部１３と本体支持部１４とが一体的に設けられている。
【００４２】
被支持部１３は、図５、図７〜図９に示すように、幅方向の左右両側に位置する一対の下枠部１３１、１３１と、下枠部１３１、１３１同士を連結するように面方向を略水平方向に向けた載置板１３２と、を有している。載置板１３２は、背凭れ支持部材４の第一部材４１における上支持壁４１１の上面４１１ｂ上に当接した状態で支持される。載置板１３２には、厚み方向に貫通する３つの第三ボルト孔１３３が形成されている。これら第三ボルト孔１３３は、支基２２のベース部２３に背凭れ支持部材４の第一部材４１を配置させた状態でベース部２３の各第一ボルト孔２３３に対して上下方向に同軸となる位置に配置されている。各第三ボルト孔１３３には、支基２２（ベース部２３）及び背凭れ支持部材４（第一部材４１）に固定するための固定ボルト２４が下側から挿通される。そして、第三ボルト孔１３３の載置板１３２の上面に開口する上部には、固定ボルト２４に螺合するナット２５（図５参照）が係止可能なナット収容部１３３ａが形成されている。
【００４３】
本体支持部１４は、背凭れ５の面材５４の前面に沿って配置されている。本体支持部１４は、被支持部１３の下枠部１３１から上方に向けて延在する幅方向で左右一対の縦枠部１４１、１４１と、縦枠部１４１の上端同士を連結する上枠部１４２と、を有している。一対の縦枠部１４１、１４１は、それぞれ上端及び下端から上下方向の中央に向かうに従って漸次前方に向かうように湾曲している。縦枠部１４１の湾曲形状は、面材５４の湾曲形状とほぼ同様となるように設定されている。
各縦枠部１４１の前面１４１ａの上下方向の中央部には、前方に向けて突出する係止凸部１４３が形成されている。この係止凸部１４３は、後述する荷重支持部材１６のスリット１６６内に上下移動可能に係止される。
【００４４】
ランバーサポート本体１２は、ウレタン製のランバーパッド１５と、ランバーパッド１５に装着されるとともにランバーサポート支持部材１１の本体支持部１４に対して着脱自在、かつ上下移動可能に支持される荷重支持部材１６と、を備えている。
【００４５】
ランバーパッド１５は、図７及び図８に示すように、幅方向中央に配置される中央部１５１と、中央部１５１の幅方向の両側に配置される側方部１５２、１５２と、を有している。側方部１５２は、中央部１５１から幅方向の外側に離れるに従い漸次前方に向かうように傾斜し、上部から下部に向けて前方に延出する形状になっている。ランバーパッド１５は、上方から見て中央部１５１が後方に突となる凹状となり、この凹形状の内側で図３に示すように着座者Ｍの腰椎部Ｍａを後方から包み込むように形成されている。
【００４６】
中央部１５１の後面１５１ａには、図８に示すように、保持片１５４が設けられている。保持片１５４は、例えば一方面にフック状に起毛され、他方面のループ状の起毛に貼り付くように係止するいわゆるマジックテープ（登録商標）等を採用することができ、本体支持部１４の上枠部１４２を巻き付けるように保持するものである。
また、側方部１５２の後面には、中央部１５１側に開口部１５３ａを有するポケット部１５３が形成されている。
【００４７】
荷重支持部材１６は、図７〜図９に示すように、ランバーサポート支持部材１１に対して上下方向に移動可能に支持され、樹脂製の薄板状の部材から形成され、後方から見てランバーパッド１５とほぼ重なる外郭形状をなしている。荷重支持部材１６は、上下方向に延びる一対の縦板状体１６１、１６１（板状体）と、一対の縦板状体１６１、１６１の上端同士を連結する上連結材１６２（第一連結部）と、一対の縦板状体１６１、１６１の下端同士を連結する下連結材１６３と、一対の縦板状体１６１、１６１の上下方向の中間同士を連結し幅方向に延びる一対の拘束バンド１６４（第二連結部）と、下連結材１６３（第一連結部）と、一対の縦板状体１６１、１６１のそれぞれから幅方向の外側に張り出した側方枠材１６５と、を有している。
【００４８】
ここで、縦板状体１６１、上連結材１６２、下連結材１６３、及び側方枠材１６５は、一体形成された枠状体１６０を形成している。枠状体１６０は、少なくとも一対の側方枠材１６５、１６５の前端が幅方向の内側に弾性的に曲げ変形可能となっている。そして、枠状体１６０は、曲げ変形させた状態で一対の側方枠材１６５がそれぞれランバーパッド１５のポケット部１５３（図８参照）に差し込まれた状態で支持されて装着されている。図８に示す矢印Ｅ２は、側方枠材１６５がポケット部１５３に差し込まれる方向を示している。
【００４９】
縦板状体１６１、１６１同士の間隔は、ランバーサポート支持部材１１における本体支持部１４の一対の縦枠部１４１、１４１の間隔と一致している。
【００５０】
荷重支持部材１６は、図２、図８〜図１１に示すように、枠状体１６０と拘束バンド１６４との間にランバーサポート支持部材１１の本体支持部１４が図８及び図１０の矢印Ｅ１に示すように差し込み可能に設けられている。上連結材１６２、下連結材１６３、及び一対の拘束バンド１６４、１６４は、相対的に前後方向に近接するように弾性変形可能に設けられている。そのため、ランバーサポート支持部材１１は、上連結材１６２、下連結材１６３、及び一対の拘束バンド１６４、１６４によって弾性的に押圧された状態で挟持された状態で保持されている。
【００５１】
一対の拘束バンド１６４、１６４は、例えば布製、樹脂製などの部材からなり、一対の縦板状体１６１、１６１の後面（図８に示す被当接面１６１ａ）側で互いに上下方向に間隔をあけて配置されている。拘束バンド１６４は、長手方向（幅方向）の両端部１６４ａ、１６４ａがそれぞれ縦板状体１６１の前面１６１ｂ（図７参照）側に回り込んだ状態で例えば接着手段等によって固定されている。
【００５２】
荷重支持部材１６は、図１２（ａ）に示すように、上方から見て緩やかに曲げられた状態において、拘束バンド１６４が縦板状体１６１の被当接面１６１ａに対して隙間を有するように緩めな状態で配置されている。
また、図１２（ｂ）に示すように、上方から見て前記幅方向の中央部で後方に突となるように符号Ｐ方向の曲げを付与して湾曲させた状態で、ランバーパッド１５に装着される。この荷重支持部材１６が湾曲した状態において、上連結材１６２、下連結材１６３、及び一対の拘束バンド１６４、１６４が前後方向に相対的に近接するように弾性変形することになる。なお、図１２（ｂ）では荷重支持部材１６が湾曲した状態を示しているが、幅方向中央部分で屈曲させた状態で上連結材１６２、下連結材１６３、及び一対の拘束バンド１６４、１６４が前後方向に相対的に近接するように弾性変形する構成であってもよい。
【００５３】
そして、枠状体１６０が曲げ変形されることで、拘束バンド１６４の長さ方向（幅方向）に引張力Ｔが生じ、拘束バンド１６４は、縦板状体１６１の被当接面１６１ａ側に押し付けられる方向に押圧する。つまり、枠状体１６０がランバーパッド１５に取り付けられることにより、拘束バンド１６４はランバーサポート支持部材１１の本体支持部１４を縦板状体１６１に押し付け、本体支持部１４がランバーサポート本体１２に保持されることになる。
【００５４】
なお、本体支持部１４に対する拘束バンド１６４の上下方向の高さ位置は、任意な位置であってもよいし、本体支持部１４の縦枠部１４１に所定位置で位置決め可能な係止部（図示省略）が設けられていてもよい。
そして、ランバーサポート本体１２が背凭れ５側に押されると、面材５４の形状（後方に突になる凸曲面）に両側方枠材１６５、１６５が押し出され、荷重支持部材１６全体が後ろ向きの凸状に変形する。
【００５５】
縦板状体１６１の下部側には、厚さ方向に貫通し、上下方向に延びるスリット１６６が形成されている。このスリット１６６には、ランバーサポート支持部材１１に形成される係止凸部１４３がスリット１６６内で移動可能に係止されている。
【００５６】
次に、ランバーサポート１０を組み立てて背凭れ支持部材４に装着する方法について、詳細に説明する。
先ず、図８及び図９に示すように、ランバーサポート１０を組み立てる。
ランバーサポート支持部材１１にランバーサポート本体１２の荷重支持部材１６を取り付ける。具体的には、荷重支持部材１６の一対の拘束バンド１６４、１６４と左右の縦板状体１６１、１６１との間にランバーサポート支持部材１１の本体支持部１４を図８の矢印Ｅ１方向に下方から差し込み、所定の高さに配置する。
【００５７】
次に、図８に示すように、ランバーパッド１５の左右のポケット部１５３のそれぞれにランバーサポート支持部材１１に支持された荷重支持部材１６の側方枠材１６５を矢印Ｅ２方向に差し込み、さらに上連結材１６２、下連結材１６３に対して保持片１５４で固定する。これによりランバーサポート１０が組み立てられる。
【００５８】
次に、図４に示すように、支基２２のベース部２３に背凭れ５を支持した背凭れ支持部材４の第一部材４１を上方から係合させる。具体的には、第一部材４１の側支持壁４１２を、ベース部２３の一対のガイド板２３２の外面に沿わせるようにして配置するとともに、図８に示すように、第一部材４１におけるガイドリブ４１３の下端４１３ａをベース部２３の支持受け部２３１の上面２３１ａに当接させる。
【００５９】
次に、第一部材４１の上支持壁４１１の上面４１１ｂにランバーサポート１０のランバーサポート支持部材１１を取り付ける。具体的には、ランバーサポート支持部材１１の被支持部１３の載置板１３２を上支持壁４１１の上面４１１ｂ上に載置して位置決めする。このとき、ベース部２３、第一部材４１、及び被支持部１３のそれぞれのボルト孔（第一ボルト孔２３３、第二ボルト孔４１４、第三ボルト孔１３３）が同軸上に位置し、各ボルト孔２３３、４１４、１３３に下方から固定ボルト２４を挿通させ、第三ボルト孔１３３のナット収容部１３３ａ内に係止させたナット２５に螺合させて締結する。これにより、支基２２のベース部２３に背凭れ支持部材４を介して背凭れ５が支持されるとともに、ランバーサポート１０も支持部Ｒにおいて支持される。
【００６０】
ここで、ランバーサポート１０を取り付けた後にランバーサポート本体１２の高さを変更する際には、ランバーサポート本体１２をランバーサポート支持部材１１の本体支持部１４に対して手動で移動させることでその高さを調整することができる。
【００６１】
次に、上述した椅子１の作用について、図面に基づいて詳細に説明する。
本実施形態による椅子１では、図１２（ａ）、（ｂ）に示すように、ランバーサポート支持部材１１が荷重支持部材１６の上連結材１６２、下連結材１６３と一対の拘束バンド１６４とによって弾性的に押圧された状態で挟持されるという簡単な支持構造となる。しかも、上連結材１６２、下連結材１６３と一対の拘束バンド１６４とが上下方向にずれた位置に配置され、ランバーサポート支持部材１１の縦枠部１４１に対して高さ方向の異なる支持点で連結材１６２、１６３が前方から押さえ付け、拘束バンド１６４が後方から押さえ付ける構造となる。そのため、荷重支持部材１６は、高さ方向で同じ支持点で前後から押さえ付ける場合に比べて荷重支持部材１６における支持点回りのモーメントを小さく抑えることができ、安定した姿勢でランバーサポート支持部材１１に保持される。
【００６２】
また、本実施形態では、上連結材１６２、下連結材１６３と一対の拘束バンド１６４とが前後方向に相対的に近接するように弾性変形するときに、上連結材１６２、下連結材１６３と一対の拘束バンド１６４に幅方向の引張力が作用するため、荷重支持部材１６はランバーサポート支持部材１１に対して弾性的な押圧による確実な支持力を得ることができる。
【００６３】
また、本実施形態では、荷重支持部材１６はランバーサポート支持部材１１に対して弾性的な押圧により支持させる構造であり、例えばねじやボルト等の固定手段を用いた支持構造ではないことから、ランバーサポート支持部材１１に対して荷重支持部材１６を容易に着脱することができる。そのため、ランバーサポート支持部材１１に対する荷重支持部材１６の上下方向の支持位置を変更する高さ調整を容易に行うことができる。
そして、荷重支持部材１６はランバーサポート支持部材１１に対して前記固定手段を用いない構造となるので、荷重支持部材１６に大きな負荷をかけずにランバーサポート支持部材１１に対する荷重支持部材１６の支持力を確保することができる。
【００６４】
また、本実施形態では、荷重支持部材１６が上方から見て幅方向の中央部で後方に突となるように湾曲して形成され、湾曲した状態において上連結材１６２、下連結材１６３と一対の拘束バンド１６４とが前後方向に相対的に近接するように弾性変形している。そのため、図１２（ａ）に示すように荷重支持部材１６を湾曲させる前に上連結材１６２、下連結材１６３と一対の拘束バンド１６４との間にランバーサポート支持部材１１を差し込み、その後、図１２（ｂ）に示すように荷重支持部材１６を幅方向の中央部で後方に突となるように矢印Ｐ方向の曲げ力を付与して湾曲させることで、上連結材１６２、下連結材１６３と一対の拘束バンド１６４が幅方向に引張力Ｔが作用する。そのため、上連結材１６２、下連結材１６３と一対の拘束バンド１６４が前後方向に相対的に近接するように弾性変形するときの弾性力をより大きく作用させることができ、より確実な支持力を得ることができる。
【００６５】
また、本実施形態の椅子１では、背凭れ５が上方から見て幅方向の中央で後方に凸となるように湾曲または屈曲した背受面５ａを備え、荷重支持部材１６が背受面５ａの手前側で背受面５ａの湾曲または屈曲形状に沿うように弾性変形しているので、荷重支持部材１６が椅子本体における背凭れ５の背受面５ａの湾曲または屈曲した凸形状に沿って変形する。そのため、荷重支持部材１６に対して弾性変形状態となるように外的な強制力を付与することができる。そのため、上連結材１６２、下連結材１６３と一対の拘束バンド１６４の弾性変形状態からの復帰力に起因するランバーサポート支持部材１１への弾性的な押圧力をより大きく確保することができる。
【００６６】
上述のように本実施形態による背凭れ荷重支持構造、および椅子では、簡単な構造でランバーサポート支持部材１１に対して荷重支持部材１６を着脱でき、高さ調整を容易に行うことができ、しかも荷重支持部材１６に大きな負荷をかけずにランバーサポート支持部材１１に対する荷重支持部材１６の支持力を確保できる。
【００６７】
以上、本発明による背凭れ荷重支持構造、および椅子の実施形態について説明したが、本発明は上記の実施形態に限定されるものではなく、その趣旨を逸脱しない範囲で適宜変更可能である。
【００６８】
例えば、ランバーサポート支持部材１１の構成として、図１３及び図１４（ａ）、（ｂ）に示す変形例のように、本体支持部１４の一対の縦枠部１４１、１４１の後面における幅方向の外側の外縁部に係止凹部１４４を形成したものであってもよい。係止凹部１４４は、各縦枠部１４１に上下方向に所定間隔をあけて３つ配置されている。これら係止凹部１４４には、荷重支持部材１６の拘束バンド１６４が凹状部分に係止することで縦枠部１４１の上下方向の位置決めがなされる。
【００６９】
本変形例では、上下方向に３箇所に係止凹部１４４が設けられ、荷重支持部材１６に一対の拘束バンド１６４、１６４が設けられているので、図１４（ａ）に示すように、上２つの係止凹部１４４、１４４に一対の拘束バンド１６４、１６４を係止したときには、本体支持部１４の上方の所定位置に荷重支持部材１６を位置決めさせて支持することができる。また、図１４（ｂ）に示すように、下２つの係止凹部１４４、１４４に一対の拘束バンド１６４、１６４を係止したときには、本体支持部１４の下方の所定位置に荷重支持部材１６を位置決めさせて支持することができる。
【００７０】
また、本実施形態では、第一連結部である上連結材１６２と下連結材１６３とがそれぞれ一対の縦板状体１６１、１６１の上端同士と下端同士を連結する位置に設けられているが、第一連結部の上下方向の位置はこれに限定されることはなく、適宜な高さの位置に設定することが可能である。
さらに、本実施形態では、第二連結部である拘束バンド１６４を上下方向で上連結材１６２と下連結材１６３との間に配置されているが、この位置に限定されることはない。例えば拘束バンド１６４は１本であってもよいし、第一連結部が１つでその上下に拘束バンド１６４が配置されるような構成とすることもできる。
【００７１】
また、本実施形態では、拘束バンド１６４として、布製あるいは樹脂製でバンド自体の弾性力が小さな部材を採用し、第一連結部と第二連結部の相対的な距離を小さくすることで弾性的な押圧力が付与される構成としているが、これに加えて拘束バンド自体に弾性力を有するゴム製のものを採用してもよい。
【００７２】
また、本実施形態では、第一連結部と第二連結部とは、それぞれ弾性変形していない状態において同一平面内に位置する構成であってもよい。
このような構成にすることにより、第一連結部及び第二連結部との間に差し込まれて挟持された支持部材の板状体に対して、第一連結部及び第二連結部の少なくとも一方をより大きく弾性変形させることが必要となる。したがって、連結部の弾性変形状態からの復帰力に起因するランバーサポート支持部材１１への弾性的な押圧力を、より大きく確保することができ、荷重支持部材１６を堅牢に支持できる。
【００７３】
さらに、本実施形態の荷重支持部材１６において、第二連結部が複数設けられており、それらが前後方向に離間した構成とすることも可能である。この場合、荷重支持部材１６が側面視においても前後方向に弾性変形することとなり、第一連結部と第二連結部とによって支持されるランバーサポート支持部材１１への弾性的な押圧力をさらに大きくすることができる。
【００７４】
さらにまた、ランバーサポート１０の構成は、上述した実施形態に限定されることはなく、適宜変更することが可能である。例えば、本実施形態では、ランバーサポート支持部材１１の被支持部１３と本体支持部１４とが一体で形成されているが、別体で設けられていてもよい。
【００７５】
また、本実施形態では、ランバーサポート本体１２は、ランバーパッド１５と、ランバーパッド１５に装着されるとともにランバーサポート支持部材１１に対して着脱自在に支持される荷重支持部材１６と、を備えた構成としているが、荷重支持部材１６にランバーパッド１５が一体的に設けられた構成あってもよい。すなわち、本発明の荷重支持部材としては、ランバーパッドを含む構成であってもよい。
【００７６】
さらにまた、ランバーサポート支持部材１１が背凭れ支持部材４と一体化された構成であってもよい。この場合、背凭れ５の面材５４は、ランバーサポート支持部材１１が重なる部分を避けるように張設することで構成することができる。
また、背凭れ支持部材４と背凭れ５とが一体であってもかまわない。
【００７７】
その他、本発明の趣旨を逸脱しない範囲で、上記した実施形態における構成要素を周知の構成要素に置き換えることは適宜可能である。
【符号の説明】
【００７８】
１  椅子
２  支持構造体
３  座
４  背凭れ支持部材（椅子本体）
５  背凭れ
５ａ  背受面
１０  ランバーサポート
１１  ランバーサポート支持部材（支持部材）
１２  ランバーサポート本体
１３  被支持部
１４  本体支持部
１５  ランバーパッド
１６  荷重支持部材
２２  支基
５４  面材
１４１  縦枠部
１４４  係止凹部
１６１  縦板状体（板状体）
１６２  上連結材（第一連結部）
１６３  下連結材（第一連結部）
１６４  拘束バンド（第二連結部）
１６５  側方枠材
【図１】
2020048990.tif 000003
【図２】
2020048990.tif 000004
【図３】
2020048990.tif 000005
【図４】
2020048990.tif 000006
【図５】
2020048990.tif 000007
【図６】
2020048990.tif 000008
【図７】
2020048990.tif 000009
【図８】
2020048990.tif 000010
【図９】
2020048990.tif 000011
【図１０】
2020048990.tif 000012
【図１１】
2020048990.tif 000013
【図１２】
2020048990.tif 000014
【図１３】
2020048990.tif 000015
【図１４】
2020048990.tif 000016